(57)【要約】【課題】使用していない時に吊持具が邪魔にならないようにする。【解決手段】本発明に係る間接活線絶縁操作棒１は、一端側１０ａに作業具が取付けられる操作棒本体１０を備え、操作棒本体１０の一端側１０ａの反対側である他端側１０ｂに、操作棒本体１０を所定の場所に吊下げるための吊持具２，３を収納可能な収納空間Ｓ１，Ｓ２が設けられ、吊持具２，３は、収納空間Ｓ１，Ｓ２の内部に設けられた取付部材５０に基端側が支持された索体１３の先端側に取付けられ、吊持具２，３を、索体１３を介して収納空間Ｓ１，Ｓ２に対して引出収納可能とする引出収納手段５Ａ，５Ｂを備える。【選択図】図２
2018068053.tif 000002
【特許請求の範囲】
【請求項１】
一端側に作業具が取付けられる操作棒本体を備え、作業対象である充電部に対し遠隔位置から作業をするための間接活線絶縁操作棒であって、
前記操作棒本体において前記一端側の反対側である他端側に、前記操作棒本体を所定の場所に吊下げるための吊持具を収納可能な収納空間が設けられ、
前記吊持具は、前記収納空間の内部に設けられた取付部材に基端側が支持された索体の先端側に取付けられ、
前記吊持具を、前記索体を介して前記収納空間に対して引出収納可能とする引出収納手段を備えている間接活線絶縁操作棒。
【請求項２】
前記取付部材は前記索体を巻回可能な軸体とされ、
前記引出収納手段は、前記索体を介して前記軸体に付与される回転力により、前記軸体の正回転を許容して該軸体に巻かれた前記索体が前記軸体から解かれることで、前記吊持具を前記収納空間から引出し可能とし、
前記吊持具が前記収納空間から引出された状態において、前記軸体に付与される回転力により、前記軸体の逆回転を許容して該軸体に前記索体が巻かれることで、前記吊持具を前記収納空間に収納可能とする請求項１に記載の間接活線絶縁操作棒。
【請求項３】
前記収納空間を開放あるいは閉塞する蓋体を備え、
該蓋体は、前記軸体の逆回転に伴う前記索体からの張力により引かれて閉じられるよう構成されている請求項２に記載の間接活線絶縁操作棒。
【請求項４】
前記吊持具は、電柱の足場ボルトに操作棒本体を吊り下げるためのリングと、作業者の安全ベルトに係止させて操作棒本体の落下を防止するためのフックであり、前記リングおよびフックはそれぞれ別の索体の先端側に取付けられている請求項１ないし請求項３の何れか１項に記載の間接活線絶縁操作棒。
【発明の詳細な説明】
【技術分野】
【０００１】
本発明は、例えば高所に配置された充電部に対し遠隔位置から作業をするための間接活線絶縁操作棒に関する。
【背景技術】
【０００２】
一般に間接活線絶縁操作棒（以下、単に操作棒という。）は、電柱の架線などの高所に配置された充電部に対して遠隔から作業をするために用いられる。このような操作棒は、操作棒本体の先端に先端作業具を取付け、本体の基端に作業者が把持するグリップを備える。グリップには、吊持具として電柱の足場ボルトに操作棒本体を吊下げるための吊下げ部材（特許文献１参照）や、作業者の安全ベルトに係止させて操作棒本体の落下を防止するための長さ調整可能な落下防止部材（特許文献２参照）が取り付けられる。
【先行技術文献】
【特許文献】
【０００３】
【特許文献１】特許第５６５４０７７号公報
【特許文献２】特開２０１２−８５３７６号公報
【発明の概要】
【発明が解決しようとする課題】
【０００４】
ところで、作業者は、間接活線絶縁操作棒を用いない場合、これを電柱の足掛けボルトに引掛けられた収納袋等に収納することがある。しかしながら、吊持具は操作棒本体に対し露出した状態で設けられている。このため、吊持具が収納袋に収納されている他の操作棒に絡んで邪魔になるなどの問題がある。
【０００５】
そこで、本発明は、使用していない時に吊持具が邪魔にならない間接活線絶縁操作棒を提供することを目的とする。
【課題を解決するための手段】
【０００６】
本発明の間接活線絶縁操作棒は、一端側に作業具が取付けられる操作棒本体を備え、作業対象である充電部に対し遠隔位置から作業をするための間接活線絶縁操作棒であって、前記操作棒本体において前記一端側の反対側である他端側に、前記操作棒本体を所定の場所に吊下げるための吊持具を収納可能な収納空間が設けられ、前記吊持具は、前記収納空間の内部に設けられた取付部材に基端側が支持された索体の先端側に取付けられ、前記吊持具を、前記索体を介して前記収納空間に対して引出収納可能とする引出収納手段を備えていることを特徴とする。
【０００７】
上記構成を備えた本発明の間接活線絶縁操作棒によれば、吊持具は、引出収納手段により、収納空間から索体を介して引出すことで使用することができ、吊持具を使用しない場合には、引出収納手段により、索体および吊持具を収納空間に収納することで外部に露出することがないため邪魔にならない。
【０００８】
本発明は、前記取付部材は前記索体を巻回可能な軸体とされ、前記引出収納手段は、前記索体を介して前記軸体に付与される回転力により、前記軸体の正回転を許容して該軸体に巻かれた前記索体が前記軸体から解かれることで、前記吊持具を前記収納空間から引出し可能とし、前記吊持具が前記収納空間から引出された状態において、前記軸体に付与される回転力により、前記軸体の逆回転を許容して該軸体に前記索体が巻かれることで、前記吊持具を前記収納空間に収納可能とすることが好ましい。
【０００９】
上記構成の間接活線絶縁操作棒によれば、吊持具を収納空間から引出すと、吊持具を取付けた索体が軸体を正回転させる方向で解かれ、吊持具が収納空間から引出された状態では、索体が引かれる張力により、引出収納手段が軸体の逆回転を許容して索体が軸体に巻かれ、吊持具が索体ごと収納空間に収納される。
【００１０】
本発明は、前記収納空間を開放あるいは閉塞する蓋体を備え、該蓋体は、前記軸体の逆回転に伴う前記索体からの張力により引かれて閉じられるよう構成されていることが好ましい。
【００１１】
上記構成によれば、蓋体は、軸体の逆回転に伴う索体からの張力により引かれて閉じられる。すなわち、蓋体は、吊持具が収納空間に収納されると同時に収納空間を閉塞するため、作業者が蓋体を閉じる操作をする必要がなく便利である。また、蓋体の閉め忘れによる吊持具の外部への露出も防止できる。
【００１２】
本発明は、前記吊持具は、電柱の足場ボルトに操作棒本体を吊下げるためのリングと、作業者の安全ベルトに係止させて操作棒本体の落下を防止するためのフックとであり、前記リングおよびフックはそれぞれ別の索体の先端側に取付けられていることが好ましい。
【００１３】
上記構成によれば、作業者はリングおよびフックのうち所望するいずれかを引出すことができるため、リングとフックの使い分けができて便利であり、しかもリングおよびフックは操作棒本体の収納空間に収納できるので使用しないとき邪魔にならない。
【発明の効果】
【００１４】
以上のように、本発明の間接活線絶縁操作棒によれば、操作棒を使用していない時に吊持具が邪魔にならないようにできる、といった効果を奏する。
【図面の簡単な説明】
【００１５】
【図１】図１は、本発明の一実施形態に係る間接活線絶縁操作棒を示す正面図。
【図２】図２は、操作棒本体の他端側（グリップ）の内部に、吊下げ部材および落下防止部材を収納した状態を示す断面図。
【図３】図３は、引出収納手段の規制手段および規制解除手段を示す断面図であり、巻取る方向に付勢されたラチェット歯車の歯に、係止方向に付勢されたラチェット爪が係止した状態を示す断面図。
【図４】図４は、吊下げ部材を外部に引出すときのラチェット歯車とラチェット爪との動作を示す断面図。
【図５】図５は、吊下げ部材を操作棒本体のグリップの開口端から外部に引出した状態を示す断面図。
【図６】図６は、ラチェット歯車の歯からラチェット爪を離脱させ、吊下げ部材を巻き取る状態を示す図。
【図７】図７は、落下防止部材を操作棒本体のグリップの開口端から外部に引出した状態を示す断面図。
【発明を実施するための形態】
【００１６】
本発明の一実施形態に係る間接活線絶縁操作棒（以下、単に操作棒という。）について図面を参照して説明する。
【００１７】
図１および図２に示すように、本実施形態の操作棒１は、一端側１０ａに作業具が取付けられる操作棒本体１０と、一端側１０ａの反対側である他端側１０ｂに、操作棒本体１０を所定の場所に吊下げるための吊持具と、該吊持具を前記他端側１０ｂに引出収納可能とする引出収納手段とを備える。
【００１８】
操作棒本体１０の一端側１０ａには、電柱の架線などの高所に配置された充電部に対して遠隔位置から作業をするための先端作業具を取付可能に構成された取付部１４が設けられている。また、操作棒本体１０の他端側１０ｂには、作業者の手で把持されるグリップ１１と、吊持具を収納するのに利用されるグリップ１１の内部に設けられた収納空間Ｓと、該収納空間Ｓに配置された取付部材とが設けられている。
【００１９】
収納空間Ｓは、グリップの１１内部に長手方向に沿って配置された仕切り壁１７によって二つの収納空間Ｓ１，Ｓ２に仕切られている。仕切り壁１７は矩形状で、グリップ１１の内部を二分する幅寸法（グリップ１１の直径）と、吊下げ部材２及び落下防止部材３を収納できる長さ寸法とを有する。仕切り壁１７により二分された収納空間Ｓ１には、吊下げ部材２が収納でき、収納空間Ｓ２には、落下防止部材３が収納できるようになっている。具体的に、仕切り壁１７の矩形状の一方の側面１７ｂとグリップ１１の一方の半筒状の周壁内面１１ｂとで上下方向に延びる第一収納空間Ｓ１が形成され、該第一収納空間Ｓ１に上下方向に沿って吊下げ部材２が収納される。仕切り壁１７の他方の側面１７ｃとグリップ１１の他方の半筒状の周壁内面１１ｃとで上下方向に延びる第二収納空間Ｓ２が形成され、該第二収納空間Ｓ２に上下方向に沿って落下防止部材３が収納される。
【００２０】
取付部材は、第一収納空間Ｓ１と第二収納空間Ｓ２とにそれぞれ配置された、索体１３を巻回するための軸体１２である。該軸体１２は、グリップ１１の開口端１１ａから軸方向に沿って離れた位置で、グリップ１１の軸線に対して直交方向に配置されている。軸体１２の両側の中心位置には、軸体１２を回転自在に支持する一対の回転軸１２０，１２０が配置されている。軸体１２の外周面には、索体１３が周方向に巻回されている。索体１３は麻紐または織紐からなり、索体１３の基端側が軸体１２ｂに支持され、索体１３の先端側には、吊下げ部材２や落下防止部材３が連結される。
【００２１】
グリップ１１の開口端部１１ａには、第一収納空間Ｓ１，第二収納空間Ｓ２を開放あるいは閉塞する一対の蓋体１５，１５が取り付けられている。具体的に、蓋体１５は半円板で、互いの直線部１５ａがグリップ１１の開口端部１１ａに径方向に貫設された支軸１６によって支持され、一対の蓋体１５，１５の互いの円弧部１５ｂがグリップ１１の開口端部１１ａの周縁部に当接・離間する。支軸１６は仕切り壁１７の幅方向の端面１７ａに平行するように配置され、一方の蓋体１５が第一収納空間Ｓ１を開閉でき、他方の蓋体１５が第二収納空間Ｓ２を開閉できるようになっている。
【００２２】
蓋体１５の内面には、蓋体１５を閉塞するための蓋体閉塞用紐部材４が連結される係止環１５０が設けられている。蓋体閉塞用紐部材４の一端部には、蓋体１５の係止環１５０に係止するフック４０が取り付けられ、他端部には、索体１３の端部と、吊下げ用紐部材２０の端部や落下防止用紐部材３０の端部と連結される連結部４１が設けられている。
【００２３】
索体１３を軸体１２で巻き取ることで蓋体１５を閉塞するには、蓋体閉塞用紐部材４の長さよりも離れた位置に軸体１２を配置する必要がある。したがって、軸体１２で索体１３を介して蓋体閉塞用紐部材４を巻き取った場合、吊下げ用紐部材２０や落下防止用紐部材３０は、蓋体閉塞用紐部材４の長さに制限されるため、軸体１２に巻取られることはなく、第一収納空間Ｓ１および第二収納空間Ｓ２のそれぞれに収納される。
【００２４】
係止環１５０は円弧状で、蓋体１５の直線部１５ａの中央部と円弧部１５ｂの中央部とを結ぶ線上に沿って配置されている。蓋体１５が閉塞された状態では、係止環１５０の中央部に蓋体閉塞用紐部材４のフック４０が係止し、蓋体１５が開放された状態では、係止環１５０の端部に蓋体閉塞用紐部材４のフック４０が係止する。
【００２５】
吊持具は、電柱の足場ボルト（図示せず）に吊り下げるための吊下げ部材２と、作業者の安全ベルトに係止するための落下防止部材３とである。
【００２６】
吊下げ部材２は、吊下げ用紐部材２０と、該吊下げ用紐部材２０の一端部に設けられ索体１３の先端に取付けられる連結部２１と、他端部に設けられ足場ボルトに吊り下げるためのリング２２とを備えている。
【００２７】
落下防止部材３は、落下防止用紐部材３０と、該落下防止用紐部材３０の一端部に設けられ索体１３の先端に取付けられる連結部３１と、他端部に設けられ作業者の安全ベルトに連結するためのフック３２とを備えている。
【００２８】
蓋体１５を閉じた際に、吊下げ用紐部材２０や落下防止用紐部材３０は、それぞれの収納空間Ｓ１，Ｓ２に収納されるべく蓋体閉塞用紐部材４と同じ長さ、または蓋体閉塞用紐部材４よりも短い長さに設定されている。また、吊下げ用紐部材２０の連結部２１と蓋体閉塞用紐部材４の連結部４１との位置が異なる理由は、吊下げ部材２を交換可能にするためである。また、落下防止用紐部材３０の連結部３１と蓋体閉塞用紐部材４の連結部４１との位置が異なる理由も同じで、落下防止部材３を交換可能にするためである。
【００２９】
引出収納手段は、グリップ１１の一側に配置され吊下げ部材２を一方の収納空間Ｓ１に引出収納する第一引出収納手段５Ａと、グリップ１１の他側に配置され落下防止部材３を他方の収納空間Ｓ２に引出収納する第二引出収納手段５Ｂとを備えている。
【００３０】
第一引出収納手段５Ａは、吊下げ部材２を引出収納する手段であり、索体１３を介して軸体１２に付与される回転力により、軸体１２の正回転を許容して軸体１２に巻かれた索体１３が軸体１２から解かれることで、吊下げ部材２を第一収納空間Ｓ１から引出し可能とする。また、第一引出収納手段５Ａは、吊下げ部材２が引出された状態において、軸体１２に付与される回転力により、軸体１２の逆回転を許容して軸体１２に索体１３が巻かれることで、吊下げ部材２を第一収納空間Ｓ１に収納可能とする。具体的に、第一引出収納手段５Ａは、図３に示すように、索体１３を軸体１２の外周面に巻取る方向に軸体１２を付勢する付勢手段としての弾性部材５７と、該弾性部材５７によって巻取り方向に付勢された軸体１２に係止することで軸体１２を引出し方向のみに回動可能に規制する規制手段６と、規制手段６の規制を解除する規制解除手段７とを備える。なお、第二引出収納手段５Ｂは、第一引出収納手段５Ａとは左右対称の構成であり、索体１３に連結される吊持具が異なるだけで、第一引出収納手段５Ａと同様、弾性部材５７と、規制手段６と、規制解除手段７とを備える。
【００３１】
軸体１２の回転軸１２０の一方端部１２０ａは、グリップ１１の内部の仕切り壁１７に回転可能に支持され、他方端部１２０ｂは、グリップ１１の周壁１１ｄを貫通し外部に導出されるとともに、該周壁１１ｄに設けられた軸受け（図示せず）により回転可能に支持されている。回転軸１２０の一方端部１２０ａの端面周縁には環状壁部１２１が突設され、一方端部１２０ａの端面中央には、ピン１２２が突設されている。
【００３２】
環状壁部１２１の内部には、弾性部材であるゼンマイバネ５７が設けられている。具体的に、反時計方向に巻回されたゼンマイバネ５７の一端部が回転軸１２０の一方端部１２０ａのピン１２２に固定され、ゼンマイバネ５７の他端部が回転軸１２０の一方端部１２０ａの環状壁部１２１を貫通して係止している。これにより、軸体１２は、図３の矢印に示すように、ゼンマイバネ５７の付勢力により巻取り方向（時計方向）に付勢されるようになる。
【００３３】
規制手段６は、弾性部材によって巻き取り方向に付勢される回転体と、該回転体に係止する係止体と、係止体を係止方向に付勢する弾性部材とを備える。
【００３４】
回転体はラチェット歯車６０であり、該ラチェット歯車６０は、回転軸１２０の他方端部１２０ｂに固着された円板状の歯車本体６１と、該歯車本体６１の周面に沿って突設された複数の歯６２とを備えている。
【００３５】
歯６２は、巻取る方向に向かって延びる円弧状の滑り面６２ａと、歯車本体６１の中心から滑り面６２ａの端部に向かって径外方向に延びる係止面６２ｂとを有する。
【００３６】
係止体は、ラチェット爪６３と、該ラチェット爪６３を回転自在に支持する支軸６４とを備え、ラチェット爪６３は、爪本体６３０と、該爪本体６３０の基端部６３０ａに設けられ爪本体６３０を外部から操作するための操作部と、爪本体６３０の先端部６３０ｂに設けられラチェット歯車６０の歯６２に係止する係止部とを有する。
【００３７】
弾性部材は巻ばね６５であり、該巻ばね６５は、支軸６４に設けられラチェット爪６３の先端部６３０ｂをラチェット歯車６０の歯６２に係止する方向（図３の矢印に示す方向）に付勢する。
【００３８】
規制解除手段７は、ラチェット爪６３を回動支持する支軸６４と、支軸６４に設けられラチェット爪６３を係止する方向に付勢する巻きばね６５と、ラチェット歯車６０の歯６２に対する爪本体６３０の先端部６３０ｂの係止を解除操作するためのラチェット爪６３の基端部６３０ａとを含む。
【００３９】
軸体１２の回転軸１２０の他方端部１２０ｂ、すなわちグリップ１１の周壁の外面には、ラチェット歯車６０、ラチェット爪６３を覆うためのカバー５５が配置されている。該カバー５５は、ラチェット歯車６０の内面および周面を覆う内面被覆部５５ａと、該内面被覆部５５ａに嵌合されラチェット歯車６０の外面および周面を覆う外面被覆部５５ｂとが配置されている。
【００４０】
内面被覆部５５ａは、ラチェット歯車６０の直径よりも大きい環状板に形成されている。グリップ１１の周壁にねじ止めされている（図示せず）。内面被覆部５５ａの孔５５１ａから軸体１２の回転軸１２０の他方端部１２０ｂが導出されている。内面被覆部５５ａには、ラチェット歯車６０の外側にラチェット爪６３が配置されるよう支軸６４が固着されている。内面被覆部５５ａは、その周縁部に突設された周壁によってラチェット歯車６０の周面を覆っている。
【００４１】
外面被覆部５５ｂは、内面被覆部５５ａよりも少し大きい直径の円板である。外面被覆部５５ｂの周縁部には、内面被覆部５５ａの周壁に嵌合しラチェット歯車６０の周面を覆う周壁が突設されている。この嵌合部位Ａには、ラチェット爪６３の基端部６３０ａを操作するための開口５６が形成され、該開口５６には、ラチェット爪６３の基端部６３０ａが臨出されている。なお、開口５６は規制解除手段７に含まれる。
【００４２】
つぎに本実施形態に係る操作棒１の使用方法について説明する。操作棒１は、吊下げ部材２および落下防止部材３がグリップ１１の内部に収納された状態では、図２および図３に示すように、軸体１２による索体１３の巻取られた状態となっており、索体１３と蓋体閉塞用紐部材４との連結部４１が軸体１２の近傍に位置し、吊下げ部材２のリング２２と落下防止部材３のフック３２とがそれぞれ蓋体１５側に位置した状態で、吊下げ部材２が第一収納空間Ｓ１に収納され、落下防止部材３が第二収納空間Ｓ２に収納されている。また、蓋体閉塞用紐部材４が張られた状態で軸体１２と蓋体１５の内面とを結ぶ直線上に位置し、蓋体閉塞用紐部材４を介して蓋体１５に張力がかかった状態で、蓋体１５がグリップ１１の第一収納空間Ｓ１および第二収納空間Ｓ２を閉塞した状態になっている。
【００４３】
作業者は、間接活線作業するに際し前記操作棒１の収納された収納袋を電柱の所定位置の足場ボルトに吊り下げ、安全ベルトを装着し電柱を登る。
【００４４】
作業者が操作棒１を電柱の足場ボルトに引っ掛ける場合について説明する。作業者は一方の蓋体１５（以下、単に蓋体１５という）を開いて第一収納空間Ｓ１から吊下げ部材２を外部に引出す。具体的に、作業者はゼンマイバネ５７、軸体１２、索体１３による張力がかかった状態の蓋体１５を少し開くと、蓋体閉塞用紐部材４を介して索体１３が引出されるのに伴い、吊下げ用引出収納手段５Ａの軸体１２が引出し方向（反時計方向）に回転し、吊下げ部材２のリング２２がグリップ１１の開口端部１１ａから臨出する。
【００４５】
つぎに作業者はリング２２を指で摘んで、リング２２を介して吊下げ部材２をゼンマイバネ５７による巻取り方向への付勢に抗して外部へ引張り出す。この際、図４に示すように、ラチェット歯車６０が巻取り方向への付勢に抗して回転し、回転するラチェット歯車６０の歯６２にラチェット爪６３が順次係止しつつ、吊下げ部材２が引き出される。
【００４６】
吊下げ部材２が引出され続け、連結部４１を介して蓋体閉塞用紐部材４に張力がかかり、連結部４１が外部へ引き出されると、蓋体閉塞用紐部材４はグリップ１１の開口端部１１ａから蓋体１５を通って外部へ引き出される。
【００４７】
蓋体閉塞用紐部材４の全長が引き出され、蓋体閉塞用紐部材４が連結部４１と蓋体１５の係止環１５０との間で張られた状態になると、蓋体１５に対し蓋体閉塞用紐部材４を介して張力がかかり、さらなる吊下げ部材２の引出しにより蓋体１５が開放される。
【００４８】
吊下げ部材２が蓋体閉塞用紐部材４の長さによって制限を受けると、作業者は吊下げ部材２の引出しを停止することになる。この際、ラチェット歯車６０の歯６２にラチェット爪６３が係止し、吊下げ部材２が引出された位置で留まり、吊下げ部材２の引き出された状態が維持される（図５参照）。
【００４９】
図５の状態では、吊下げ部材２は使用可能な位置まで引き出された状態となっており、電柱の所望の位置の足場ボルトに吊下げ部材２のリング２２を引掛けて操作棒１を吊下げることができる。
【００５０】
つぎに吊下げ部材２をグリップ１１の内部に収納する場合、図６に示すように、作業者は、カバー５５の開口５６から臨出するラチェット爪６３の基端部６３０ａを指で押して、ラチェット爪６３の先端部６３０ｂをラチェット歯車６０の歯６２から離脱させる。
【００５１】
これにより、ラチェット歯車６０および軸体１２がゼンマイバネ５７の付勢によって巻取り方向（時計方向）に付勢されて回転し、第一収納空間Ｓ１から引出された索体１３が軸体１２に巻取られる。
【００５２】
索体１３が軸体１２に巻き取られ続け、蓋体閉塞用紐部材４の連結部４１が蓋体１５からグリップ１１の開口端部１１ａを通り、第一収納空間Ｓ１に入って軸体１２側に向かうと、蓋体閉塞用紐部材４に対し索体１３を介して張力がかかるようになる。
【００５３】
蓋体閉塞用紐部材４の長さが、軸体１２と蓋体の係止環１５０とを結ぶ長さよりも短いことから、軸体１２の近傍に前記連結部４１が位置すると、蓋体閉塞用紐部材４が連結部４１と蓋体１５の係止環１５０との間で張られた状態になり、蓋体閉塞用紐部材４の連結部４１を介して吊下げ部材２および蓋体閉塞用紐部材４が収納空間Ｓ１側に引張られる。
【００５４】
蓋体閉塞用紐部材４が収納空間Ｓ１側に引張られることで、蓋体１５が第一収納空間Ｓ１を閉塞し、軸体１２による索体１３の巻取りが完了する（図２参照）。
【００５５】
図２の状態では、軸体１２の中心と第一収納空間Ｓ１を閉じた状態の蓋体１５の内面とを結ぶ直線上に蓋体閉塞用紐部材４が位置し、吊下げ部材２がグリップ１１の内部に収納されるようになる。したがって、吊下げ部材２が外部に露出することがないので、邪魔になることがない。
【００５６】
つぎに作業者が操作棒１を作業者の安全ベルトに係止させる場合について説明する。この場合も前記と同様に、まず、作業者はグリップ１１の他方の蓋体１５（以下、単に蓋体１５という）を開いて、落下防止部材３のフック３２を引張り、落下防止用引出収納手段５Ｂにより第二収納空間Ｓ２から落下防止部材３を外部に引出す。
【００５７】
図７に示すように、索体１３と落下防止部材３との連結部３１が蓋体１５よりも外方に引出され、蓋体閉塞用紐部材４の全長が引出され、蓋体１５が開放されると、落下防止部材３が使用可能な状態となり、作業者の安全ベルトに落下防止部材３のフック３２を係止させ操作棒１の落下を防止する。
【００５８】
つぎに落下防止部材３をグリップ１１の内部に収納する場合、作業者はラチェット爪６３の基端部６３０ａを押して、ラチェット歯車６０に対するラチェット爪６３の係止を解除し、軸体１２を巻取り方向に回転させ、第二収納空間Ｓ２から引出された索体１３を軸体１２に巻取る。
【００５９】
索体１３の巻取りが完了すると、グリップ１１の内部に落下防止部材３が収納されるようになり、蓋体１５が第二収納空間Ｓ２を閉塞し、落下防止部材３が外部に露出することがなく、邪魔になることがない。
【００６０】
このように、本実施形態では、吊下げ部材２は、第一引出収納手段５Ａにより操作棒本体１０の第一収納空間Ｓ１から索体１３を介して引出されたり、索体１３ごと第一収納空間Ｓ１に収納されたりする。落下防止部材３は、落下防止用引出収納手段５Ｂにより操作棒本体１０の第二収納空間Ｓ２から索体１３を介して引出されたり、索体１３ごと第二収納空間Ｓ２に収納されたりする。したがって、吊下げ部材２および落下防止部材３が邪魔にならない。
【００６１】
なお、本発明に係る間接活線絶縁操作棒は、前記実施形態に限定することなく種々変更することができる。
【００６２】
例えば、前記実施形態では、規制手段６の回転体としてラチェット歯車６０を使用し、係止体としてラチェット爪６３を使用するようにしたが、規制手段６の回転体として複数の突起が周面に設けられた回転板を用いてもよく、規制手段６の係止体として前記突起に圧接する方向に付勢されたブレーキを使用するようにしてもよい。
【００６３】
また、前記実施形態では、吊下げ部材２として吊下げ用紐部材２０にリング２２を取付け、落下防止部材３として落下防止用紐部材３０にフック３２を取付けたが、索体１３にリング２２やフック３２を直接取り付けるようにしてもよい。
【符号の説明】
【００６４】
１…間接活線絶縁操作棒、１０…操作棒本体、１０ａ…一端側、１０ｂ…他端側、１１…グリップ、１１ａ…グリップの開口端部、１１ｂ，１１ｃ…グリップの周壁内面、１２０…回転軸、１２０ａ…回転軸の一方端部、１２…軸体、１２０ｂ…回転軸の他方端部、１２１…環状壁部、１２２…ピン、１３…索体、１４…取付部、１５…蓋体、１５ａ…蓋体の直線部、１５ｂ…蓋体の円弧部、１５０…係止環、１６…蓋体の支軸、１７…グリップの内部の仕切り壁、１７ａ…仕切り壁の端面、１７ｂ，１７ｃ…仕切り壁の側面、２…吊下げ部材、２０…吊下げ用紐部材、２１…吊下げ用紐部材の連結部、２２…リング、３…落下防止部材、３０…落下防止用紐部材、３１…落下防止用紐部材の連結部、３２…落下防止用紐部材のフック、４…蓋体閉塞用紐部材、４０…蓋体閉塞用紐部材のフック、４１…連結部、５Ａ，５Ｂ…引出収納手段、５５…カバー、５５ａ…カバーの内面被覆部、５５ｂ…カバーの外面被覆部、５５１ａ…孔、５６…カバーの開口、５７…弾性部材（ゼンマイバネ）、６…規制手段、６０…ラチェット歯車、６１…歯車本体、６２…歯、６２ａ…歯の滑り面、６２ｂ…歯の係止面、６３…ラチェット爪、６３０…ラチェット爪の爪本体、６３０ａ…ラチェット爪の基端部、６３０ｂ…ラチェット爪の先端部、６４…ラチェット爪の支軸、７…規制解除手段、Ａ…嵌合部位、Ｓ…収納空間、Ｓ１…第一収納空間、Ｓ２…第二収納空間
【図１】
2018068053.tif 000003
【図２】
2018068053.tif 000004
【図３】
2018068053.tif 000005
【図４】
2018068053.tif 000006
【図５】
2018068053.tif 000007
【図６】
2018068053.tif 000008
【図７】
2018068053.tif 000009